(57)【要約】【課題】  表示手段により表示される合焦確認用の画像の視認度を向上させることができる撮像装置を提供する。【解決手段】  第２フィルタ処理部４０によって、ＣＣＤイメージセンサ２４から出力された画像データにより示される画像における焦点領域９０の画像を所定倍率に拡大した画像データに対して第１の強度で画像の輪郭を強調する画像処理を行うと共に、第１フィルタ処理部３８によって、ＣＣＤイメージセンサ２４から出力され、解像度がＬＣＤ７０の表示領域の解像度となるように変換された画像データに対して前記第１の強度より弱い第２の強度で当該画像データにより示される画像の輪郭を強調する画像処理を行い、グラフィックコントローラ４４により、画像処理後の拡大された画像データにより示される画像と画像処理後の解像度が変換された画像データにより示される画像を合成して表示するようにＬＣＤ７０を制御する。【選択図】        図１
2007067530.tif 000002
【特許請求の範囲】
【請求項１】
手動での焦点調整が可能とされた撮像装置であって、
受光面に結像される被写体像を撮像して所定解像度の画像データを出力する撮像手段と、
前記所定解像度よりも低い解像度とされた表示領域を有する表示手段と、
前記撮像手段から出力された画像データを、当該画像データにより示される画像のサイズが前記表示手段の表示領域の表示サイズとなるように解像度を変換する第１変換手段と、
前記撮像手段から出力された画像データから当該画像データの部分領域となる所定領域の画像データを抽出する抽出手段と、
前記抽出手段により抽出された画像データを所定倍率に拡大するように変換する第２変換手段と、
前記第２変換手段により拡大された画像データに対して第１の強度で当該画像データにより示される画像の輪郭を強調すると共に、前記第１変換手段により解像度が変換された画像データに対して前記第１の強度より弱い第２の強度で当該画像データにより示される画像の輪郭を強調する画像処理を行う画像処理手段と、
前記画像処理手段による画像処理後の前記拡大された画像データにより示される画像と前記画像処理後の前記解像度が変換された画像データにより示される画像を合成して表示するように前記表示手段を制御する表示制御手段と、
を備えた撮像装置。
【請求項２】
前記画像処理手段は、前記拡大された画像データに対して当該画像データにより示される画像を前記解像度が変換された画像データにより示される画像よりも高精細化する画像処理を行う
請求項１記載の撮像装置。
【請求項３】
前記第１変換手段及び第２変換手段は、変換後の画像データにより示される画像のアスペクト比が同一である
請求項１又は請求項２記載の撮像装置。
【請求項４】
前記第１変換手段は、前記撮像手段から出力された画像データを、当該画像データにより示される画像のサイズが所定の動画記録用の画像サイズとなるように解像度を変換し、
前記画像処理手段による画像処理後の前記第１変換手段により解像度が変換された画像データを記憶する記憶手段と、
前記画像処理後の前記第１変換手段により解像度が変換された画像データを、当該画像データにより示される画像のサイズが前記表示手段の表示領域の表示サイズとなるように解像度を変換する第３変換手段と、をさらに備え、
前記表示制御手段は、前記画像処理後の前記拡大された画像データにより示される画像と前記第３変換手段により解像度が変換された画像データにより示される画像を合成して表示するように前記表示手段を制御する
請求項１乃至請求項３の何れか１項記載の撮像装置。
【発明の詳細な説明】
【技術分野】
【０００１】
本発明は、撮像によって得られた被写体像を表示する液晶ディスプレイ等の表示手段を備えた撮像装置に関する。
【背景技術】
【０００２】
従来より、デジタル電子スチルカメラやデジタルビデオカメラ等の撮像装置には、背面などに液晶ディスプレイ等の表示装置が設けられているものが多く、この種の撮像装置では、一般的に、ＣＣＤ（Charge Coupled Device）センサ等の固体撮像素子により撮像している被写体像を当該表示装置に表示することができる。従って、ユーザは、表示装置に表示されている被写体像を見ながら、当該被写体像の画角を調整することができる。
【０００３】
ところで、この種の撮像装置は、装置本体を小型化、軽量化するために表示装置も小型化される傾向にあり、固体撮像素子により撮像によって得られる画像の解像度よりも表示装置の表示領域の解像度の方が低い傾向にある。なお、ここでいう解像度とは、例えば、ＶＧＡ（Video Graphics Array：６４０×４８０画素）等の画像の構成する画素数のことであり、解像度が低い方が画像を構成する画素数が少なくなる。
【０００４】
このため、この種の撮像装置では、固体撮像素子による撮像により得られた画像のサイズを表示装置の表示領域の表示サイズとなるように解像度を変換して表示領域に表示することが一般的に行われている。
【０００５】
しかし、この場合表示装置に表示される画像は、固体撮像素子で撮像される画像よりも低解像度とされているため、ユーザが表示装置に表示された画像を見ても被写体像が合焦しているかを確認することが難しい、という問題点があった。
【０００６】
この問題を解決するために適用できる技術として、特許文献１及び特許文献２には、固体撮像素子による撮像により得られた画像を縮小した画角確認用被写体像を表示装置に表示させると共に、画角確認用被写体像の所定部分を拡大した合焦確認用画像を表示装置の所定表示領域に合成して表示させる技術が開示されている。これにより、ユーザは、表示装置に表示されている被写体像を見ながら、記録する被写体像の画角を調整することができると共に、合焦確認用画像により容易に合焦状態の確認を行うことができる。
【特許文献１】特開平１１−１９６３０１号公報
【特許文献２】特開２００１−２１１３５１公報
【発明の開示】
【発明が解決しようとする課題】
【０００７】
しかしながら、上記特許文献１及び特許文献２では、上記画角確認用被写体像は、固体撮像素子で撮像された画像を縮小したものとされているために輪郭が強調されてシャープに見えるが、上記合焦確認用画像は、画角確認用被写体像を拡大しているために輪郭がぼやけて見えて視認度が低い、という問題点があった。
【０００８】
本発明は上記問題点を解消するためになされたものであり、表示手段により表示される合焦確認用の画像の視認度を向上させることができる撮像装置を提供することを目的とする。
【課題を解決するための手段】
【０００９】
上記目的を達成するために、請求項１記載の撮像装置は、手動での焦点調整が可能とされた撮像装置であって、受光面に結像される被写体像を撮像して所定解像度の画像データを出力する撮像手段と、前記所定解像度よりも低い解像度とされた表示領域を有する表示手段と、前記撮像手段から出力された画像データを、当該画像データにより示される画像のサイズが前記表示手段の表示領域の表示サイズとなるように解像度を変換する第１変換手段と、前記撮像手段から出力された画像データから当該画像データの部分領域となる所定領域の画像データを抽出する抽出手段と、前記抽出手段により抽出された画像データを所定倍率に拡大するように変換する第２変換手段と、前記第２変換手段により拡大された画像データに対して第１の強度で当該画像データにより示される画像の輪郭を強調すると共に、前記第１変換手段により解像度が変換された画像データに対して前記第１の強度より弱い第２の強度で当該画像データにより示される画像の輪郭を強調する画像処理を行う画像処理手段と、前記画像処理手段による画像処理後の前記拡大された画像データにより示される画像と前記画像処理後の前記解像度が変換された画像データにより示される画像を合成して表示するように前記表示手段を制御する表示制御手段と、を備えている。
【００１０】
請求項１に記載の発明は、撮像手段により、受光面に結像される被写体像を撮像して所定解像度の画像データが出力されており、所定解像度よりも低い解像度とされた表示領域を有する表示手段を備えている。なお、上記撮像手段には、ＣＣＤイメージセンサ、ＣＭＯＳ（Complementary Metal Oxide Semiconductor）イメージセンサ等の固体撮像素子が含まれる。また、上記表示手段には、有機ＥＬディスプレイ、液晶ディスプレイ等のディスプレイが含まれる。
【００１１】
そして、本発明によれば、第１変換手段により、撮像手段から出力された画像データを、当該画像データにより示される画像のサイズが前記表示手段の表示領域の表示サイズとなるように解像度が変換されると共に、抽出手段により、撮像手段から出力された画像データの部分領域となる所定領域の画像に対応する画像データが抽出され、第２変換手段により、抽出手段により抽出された画像データが所定倍率に拡大するように変換される。
【００１２】
そして、画像処理手段により、第２変換手段により拡大された画像データに対して第１の強度で当該画像データにより示される画像の輪郭を強調すると共に、第１変換手段により解像度が変換された画像データに対して第１の強度より弱い第２の強度で当該画像データにより示される画像の輪郭を強調する画像処理が行われ、表示制御手段により、画像処理手段による画像処理後の拡大された画像データにより示される画像と画像処理後の解像度が変換された画像データにより示される画像を合成して表示するように表示手段が制御される。
【００１３】
このように、請求項１に記載の発明によれば、所定領域の画像が所定倍率に拡大された画像データに対して第１の強度で当該画像データにより示される画像の輪郭を強調すると共に、表示手段の表示領域の表示サイズとなるように解像度が変換された画像データに対して第１の強度より弱い第２の強度で当該画像データにより示される画像の輪郭を強調する画像処理を行い、画像処理後の拡大された画像データにより示される画像と画像処理後の解像度が変換された画像データにより示される画像を合成して表示するように表示手段を制御しているので、表示手段により表示される所定領域の画像を所定倍率に拡大した合焦確認用の画像の輪郭が強調されて表示されるため、合焦確認用の画像の視認度を向上させることができる。
【００１４】
なお、本発明は、請求項２に記載の発明のように、前記画像処理手段は、前記拡大された画像データに対して当該画像データにより示される画像を前記解像度が変換された画像データにより示される画像よりも高精細化する画像処理を行うようにしてもよい。
【００１５】
また、本発明は、請求項３に記載の発明のように、前記第１変換手段及び第２変換手段は、変換後の画像データにより示される画像のアスペクト比が同一であるものとしてもよい。
【００１６】
また、本発明は、請求項４に記載の発明のように、前記第１変換手段は、前記撮像手段から出力された画像データを、当該画像データにより示される画像のサイズが所定の動画記録用の画像サイズとなるように解像度を変換し、前記画像処理手段による画像処理後の前記第１変換手段により解像度が変換された画像データを記憶する記憶手段と、前記画像処理後の前記第１変換手段により解像度が変換された画像データを、当該画像データにより示される画像のサイズが前記表示手段の表示領域の表示サイズとなるように解像度を変換する第３変換手段と、をさらに備え、前記表示制御手段は、前記画像処理後の前記拡大された画像データにより示される画像と前記第３変換手段により解像度が変換された画像データにより示される画像を合成して表示するように前記表示手段を制御するようにしてもよい。
【００１７】
これにより、第１変換手段により解像度が変換された画像データを動画像データとして解像度を再度変換することなく記憶手段に記憶させることができる。また、第３変換手段により、第１変換手段により解像度が変換された画像データのサイズが表示手段の表示領域の表示サイズとなるように解像度を変換することにより、合成画像を表示手段に表示させることができる。なお、上記記憶手段には、ＲＡＭ、フラッシュメモリ等の半導体メモリ、コンパクトフラッシュ（登録商標）、ｘＤピクチャカード（登録商標）等の可搬型メモリ、ハードディスク等の固定記憶装置が含まれる。
【発明の効果】
【００１８】
このように、本発明によれば、表示手段により表示される合焦確認用の画像の視認度を向上させることができる。
【発明を実施するための最良の形態】
【００１９】
［第１の実施の形態］
図１は、本発明の第１の実施の形態に係る撮像装置１０の構成を示すブロック図である。上記撮像装置１０は、被写体を撮像するための処理を行う撮像系２０、撮像系２０により撮像された被写体像を再生するための処理を行う再生系３０、画像データを記憶するメモリ８０、及び画像を表示するＬＣＤ（液晶ディスプレイ：Liquid Crystal Display）７０を備えている。
【００２０】
撮像系２０は、フォーカスレンズを含む光学レンズユニットを内蔵したレンズ部２２と、レンズ部２２により受光面上に結像された被写体像に応じた画像信号を生成して出力するＣＣＤイメージセンサ２４と、ＣＣＤイメージセンサ２４から出力された画像信号に所定のアナログ信号処理を施した後にアナログ／デジタル（Ａ／Ｄ）変換を行うアナログ信号処理回路２６と、撮像系同期信号を生成して各部に供給する撮像系タイミングジェネレータ２８と、を備えている。
【００２１】
なお、本実施の形態に係るＣＣＤイメージセンサ２４は、撮像画像のサイズが２０４８×３８４画素とされており、アスペクト比が１６：９のものとされている。
【００２２】
また、本実施の形態に係るＬＣＤ７０は、表示領域の表示サイズが６４０×４８０画素（ＶＧＡ）とされており、アスペクト比が４：３のものとされている。
【００２３】
ＣＣＤイメージセンサ２４の出力端はアナログ信号処理回路２６の入力端に、アナログ信号処理回路２６の出力端は後述するデジタル信号処理回路３２の入力端に、各々接続されている。従って、ＣＣＤイメージセンサ２４から出力された被写体像を示すアナログ信号はアナログ信号処理回路２６によって所定のアナログ信号処理が施された後に、Ａ／Ｄ変換が行われてデジタルデータに変換された画像データがデジタル信号処理回路３２に入力される。
【００２４】
本実施の形態に係る撮像装置１０は、被写体の撮影を行う際に、ＣＣＤイメージセンサ２４による連続的な撮像によって得られた動画像（スルー画像）がＬＣＤ７０に表示されるものとされており、ユーザはＬＣＤ７０に表示される動画像により示される被写体像を確認しながら画角を調整することができる。
【００２５】
また、撮像装置１０は、後述するＣＰＵ４６による制御により図示しないモータを駆動させてレンズ部２２に内蔵されたフォーカスレンズの位置を制御してＡＦ（Auto Focus、自動合焦）機能により合焦制御を行うことができると共に、ユーザが図示しないマニュアルフォーカス操作ボタンを操作して当該モータを駆動させることにより、ユーザが手動操作で焦点調整を行うことができるものとされている。
【００２６】
さらに、撮像装置１０は、ＣＣＤイメージセンサ２４により撮像されている被写体のうち、合焦させる際に参照される予め定められた一部領域（以下、「焦点領域」という。）の被写体像を拡大した画像をＬＣＤ７０の表示領域の予め定められた部分に合成して表示させる合成表示機能を有している。
【００２７】
再生系３０は、入力された画像データに対して所定のデジタル信号処理を施すデジタル信号処理回路３２と、入力された画像データを、当該画像データにより示される画像全体の解像度がＬＣＤ７０の表示領域の解像度となるように変換する画角画像用解像度変換部３４と、入力された画像データを、当該画像データにより示される画像を所定倍率に拡大するように変換する焦点画像用解像度変換部３６と、入力された画像データに対して当該画像データにより示される画像の輪郭を低レベルな第２の強度で強調するフィルタリング処理を行う第１フィルタ処理部３８と、入力された画像データに対して当該画像データにより示される画像の輪郭を高レベルな第１の強度で強調するフィルタリング処理を行う第２フィルタ処理部４０と、を備えている。
【００２８】
なお、本実施の形態に係るデジタル信号処理回路３２は、撮像系２０により撮像されている全領域の画像を示す画角調整用画像データを出力すると共に、後述するＣＰＵ４６からの指示に応じて焦点領域の画像を抽出し、抽出した画像を示す焦点調整用画像データを出力する。
【００２９】
また、本実施の形態に係る画角画像用解像度変換部３４は、画像データにより示される画像の解像度を高くすることにより画像を所定倍率に拡大するように変換する。
【００３０】
デジタル信号処理回路３２は、画角画像用解像度変換部３４及び第１フィルタ処理部３８を介して後述するメモリコントローラ４２と接続されると共に、焦点画像用解像度変換部３６及び第２フィルタ処理部４０を介してメモリコントローラ４２と接続されている。
【００３１】
デジタル信号処理回路３２は、画角調整用画像データを画角画像用解像度変換部３４へ出力し、焦点調整用画像データを焦点画像用解像度変換部３６へ出力する。
【００３２】
デジタル信号処理回路３２より出力された画角調整用画像データは、画角画像用解像度変換部３４によって、ＬＣＤ７０の表示領域の解像度の画角調整用画像データに変換された後、第１フィルタ処理部３８によって、輪郭を低レベルで強調するフィルタリング処理が行われる。
【００３３】
一方、デジタル信号処理回路３２より出力された焦点調整用画像データは、焦点画像用解像度変換部３６によって、所定の解像度の焦点調整用画像データに変換された後、第２フィルタ処理部４０により、輪郭を高レベルで強調するフィルタリング処理が行われる。
【００３４】
さらに、再生系３０は、第１フィルタ処理部３８及び第２フィルタ処理部４０により変換された各画像データのメモリ８０への書き込みや読み出しを制御するメモリコントローラ４２と、再生系３０全体の制御を司るＣＰＵ４６と、再生系同期信号を出力する再生系タイミングジェネレータ４８と、メモリコントローラ４２により読み出された画像データにより示される画像の合成を行うグラフィックコントローラ４４と、合成された画像データをデジタル信号からアナログ信号に変換するデジタル／アナログ（Ｄ／Ａ）変換部５２と、合成された画像データをＬＣＤ７０で表示可能な方式に変換するＬＣＤインタフェース（Ｉ／Ｆ）５０と、を備えている。
【００３５】
メモリコントローラ４２は、グラフィックコントローラ４４と接続されている。グラフィックコントローラ４４は、ＬＣＤＩ／Ｆ５０と接続されており、また、ＬＣＤＩ／Ｆ５０と接続されている配線が分岐してＤ／Ａ変換部５２とも接続されている。
【００３６】
メモリコントローラ４２は、第１フィルタ処理部３８及び第２フィルタ処理部４０によりフィルタリング処理が施された画角調整用画像データ及び焦点調整用画像データをメモリ８０に記憶させる。また、メモリコントローラ４２は、ＣＰＵ４６から指示に応じて、メモリ８０に記憶されている画角調整用画像データ及び焦点調整用画像データの読み出してグラフィックコントローラ４４へ出力する。
【００３７】
グラフィックコントローラ４４は、画角調整用画像データにより示される画像の所定領域に焦点調整用画像データにより示される画像を合成し、合成した画像データをＤ／Ａ変換部５２及びＬＣＤＩ／Ｆ５０へ出力する。Ｄ／Ａ変換部５２でアナログ信号に変換された画像信号は、テレビジョン方式（例えばＮＴＳＣ方式）のビデオ信号に変換された後、撮像装置１０に接続された外部ＴＶ６０に供給される。これにより、外部ＴＶ６０は、上記ビデオ信号に基づく画像が表示される。また、ＬＣＤ７０は、ＬＣＤＩ／Ｆ５０を介し供給された画像データに基づいて、画像を表示する。
【００３８】
また、ＣＰＵ４６は、撮像系タイミングジェネレータ２８、メモリコントローラ４２、及び再生系タイミングジェネレータ４８と接続されている。ＣＰＵ４６は、メモリコントローラ４２に対して、撮像系タイミングジェネレータ２８より入力する撮像系同期信号に同期して画角調整用画像データ、焦点調整用画像データをメモリ８０に記憶させる記憶領域の指示と、メモリコントローラ４２に対して、再生系タイミングジェネレータ４８より入力する再生系同期信号に同期して、メモリ８０に記憶された画角調整用画像データ、焦点調整用画像データの読み出しの指示と、を行うことができる。
【００３９】
本実施の形態に係る撮像装置１０では、図示しない設定ボタンにより上述した合成表示機能を有効とするか無効とするかを設定することが可能とされている。
【００４０】
ＣＰＵ４６は、合成表示機能が有効と設定されている場合に、ＬＣＤ７０に焦点領域の被写体像を拡大した画像を合成して表示させるため、デジタル信号処理回路３２に対して焦点調整用画像データを出力させる指示信号を出力すると共に、後述する画像表示制御処理を実行してメモリコントローラ４２に対して画角調整用画像データ及び焦点調整用画像データのメモリ８０への記憶及び読み出しを指示する指示信号を出力する。
【００４１】
次に、本実施の形態に係る撮像装置１０の合成表示機能を有効とした場合の撮影時における全体的な動作について簡単に説明する。
【００４２】
撮像装置１０では、撮像系タイミングジェネレータ２８が、ＣＣＤイメージセンサ２４を駆動させるための水平同期信号及び垂直同期信号を連続的に生成してＣＣＤイメージセンサ２４へ出力し、さらにアナログ信号処理回路２６を駆動させるための同期信号（例えば、サンプルホールドパルス、Ａ／Ｄ変換用クロックなど）も生成してアナログ信号処理回路２６へ出力する。
【００４３】
ＣＣＤイメージセンサ２４は、撮像系タイミングジェネレータ２８で生成された水平及び垂直同期信号に基づいて駆動し、レンズ部２２を介して受光面上に結像されている被写体像に応じて画像信号を生成し、この画像信号をアナログ信号処理回路２６に出力する。
【００４４】
アナログ信号処理回路２６は、撮像系タイミングジェネレータ２８で生成された同期信号に基づいて駆動し、ＣＣＤイメージセンサ２４より入力する画像信号に対して、例えば、相関二重サンプリング処理を施し、その後、Ａ／Ｄ変換してデジタルデータに変換した画像データをデジタル信号処理回路３２に出力する。
【００４５】
図２には、アナログ信号処理回路２６より出力される画像データにより示される画像が示されている。
【００４６】
デジタル信号処理回路３２は、アナログ信号処理回路２６から入力される画像データに、例えばガンマ補正等の画像処理を施し、画像処理後の画像データを画角調整用画像データとして出力する。また、デジタル信号処理回路３２は、ＣＰＵ４６からの指示により当該画像データにより示される画像から中心部分の焦点領域９０の画像を抽出し、抽出した画像を示す画像データを焦点調整用画像データとして出力する。
【００４７】
画角画像用解像度変換部３４は、デジタル信号処理回路３２から出力される画角調整用画像データに対して補間処理を行い、ＬＣＤ７０の表示領域の表示サイズの画角調整用画像データに変換する。なお、本実施の形態では、ＬＣＤ７０は、上述したように表示領域の表示サイズが６４０×４８０画素のものであるため、補間処理によって画像データにより示される画像に対して水平方向に縮小すると共に垂直方向に拡大するように解像度の変換を行う。表示画素数に変換された画角調整用画像データは、第１フィルタ処理部３８へ出力される。
【００４８】
第１フィルタ処理部３８は、画角画像用解像度変換部３４により変換された画角調整用画像データに対して低レベルで、例えば、高周波強調フィルタ等の鮮鋭化フィルタを用いてフィルタリング処理を行い、画角調整用画像データにより示される画像のエッジを少しだけ強調する。すなわち、表示画素数に変換された画角調整用画像データにより示される画像は、画角画像用解像度変換部３４による変換処理により全体として画素数が減少して画像が縮小されており、画像の輪郭が強調されてシャープに見えるため低レベルで鮮鋭化するフィルタリング処理を行う。フィルタリング処理が行われた画角調整用画像データはメモリコントローラ４２へ出力される。
【００４９】
一方、焦点画像用解像度変換部３６は、デジタル信号処理回路３２から出力される焦点調整用画像データに補間処理を行い、当該焦点調整用画像データにより示される画像を拡大する変換を行う。なお、本実施の形態では、焦点調整用画像データにより示される画像を解像度が３２０×２４０画素でアスペクト比が４：３の画像に拡大する変換を行う。３２０×２４０画素に変換された焦点調整用画像データは、第２フィルタ処理部４０へ出力される。
【００５０】
第２フィルタ処理部４０は、焦点画像用解像度変換部３６により変換された焦点調整用画像データに対して高レベルで鮮鋭化フィルタを用いてフィルタリング処理を行い、焦点調整用画像データにより示される画像のエッジを鮮鋭化する。すなわち、焦点画像用解像度変換部３６により変換処理された画角調整用画像データにより示される画像は、画像が拡大されたために輪郭がぼやけて見えるので画像の高レベルで鮮鋭化するフィルタリング処理を行ってエッジを鮮鋭化する。鮮鋭化するフィルタリング処理が行われた焦点調整用画像データはメモリコントローラ４２へ出力される。
【００５１】
メモリコントローラ４２は、第１フィルタ処理部３８及び第２フィルタ処理部４０でフィルタリング処理の施された画角調整用画像データ及び焦点調整用画像データをＣＰＵ４６からの指示信号により指定されたメモリ８０の記憶領域に記憶させる。
【００５２】
また、メモリコントローラ４２は、ＣＰＵ４６からの指示信号により指示されたメモリ８０の記憶領域に記憶されている画角調整用画像データ及び焦点調整用画像データを読み出す制御を行う。
【００５３】
次に、図３を参照しつつ、本実施の形態に係る撮像装置１０の合成表示機能を有効とした場合の撮影時にＣＰＵ４６により実行される画像表示制御処理について詳細に説明する。なお、図３は、ＣＰＵ４０により実行される画像表示制御処理プログラムの処理の流れを示すフローチャートであり、当該プログラムは再生系３０に備えられた図示しないＲＯＭの所定領域に予め記憶されている。
【００５４】
同図のステップ１００では、変数Ｘにメモリ８０にデータを記憶させる記憶領域として記憶領域Ａを設定する。
【００５５】
次のステップ１０２では、メモリコントローラ４２へメモリ８０に画角調整用画像データ及び焦点調整用画像データを記憶させる記憶領域として変数Ｘに設定された記憶領域を指定する指示信号を出力する。
【００５６】
これにより、メモリコントローラ４２は、第１フィルタ処理部３８及び第２フィルタ処理部４０より入力される画角調整用画像データ及び焦点調整用画像データを、指定されたメモリ８０の記憶領域に記憶させる。
【００５７】
次のステップ１０４では、撮像系タイミングジェネレータ２８又は再生系タイミングジェネレータ４８から垂直同期信号が入力したか否かを判定し、肯定判定となった場合はステップ１０６へ移行し、否定判定となった場合はステップ１３６へ移行する。
【００５８】
ステップ１０６では、入力した垂直同期信号が撮像系タイミングジェネレータ２８より入力した撮像系２０の垂直同期信号であるか否かを判定し、肯定判定となった場合はステップ１０８へ移行し、否定判定となった場合はステップ１２２へ移行する。
【００５９】
ステップ１０８では、変数Ｘに設定されている記憶領域が記憶領域Ａであるか否かを判定し、肯定判定となった場合はステップ１１０へ移行し、否定判定となった場合はステップ１１２へ移行する。ステップ１１０では、変数Ｘにメモリ８０にデータを記憶させる記憶領域として記憶領域Ｂを設定し、ステップ１２０へ移行する。
【００６０】
ステップ１１２では、変数Ｘに設定されている記憶領域が記憶領域Ｂであるか否かを判定し、肯定判定となった場合はステップ１１４へ移行し、否定判定となった場合はステップ１１６へ移行する。ステップ１１４では、変数Ｘにメモリ８０にデータを記憶させる記憶領域として記憶領域Ｃを設定し、ステップ１２０へ移行する。
【００６１】
ステップ１１６では、変数Ｘに設定されている記憶領域が記憶領域Ｃであるか否かを判定し、肯定判定となった場合はステップ１１８へ移行し、否定判定となった場合はステップ１３４へ移行する。ステップ１１８では、変数Ｘにメモリ８０にデータを記憶させる記憶領域として記憶領域Ａを設定し、ステップ１２０へ移行する。
【００６２】
ステップ１２０では、メモリコントローラ４２へメモリ８０に画角調整用画像データ及び焦点調整用画像データを記憶させる記憶領域を変数Ｘに設定されている記憶領域と指定する指示信号を出力し、ステップ１３６へ移行する。
【００６３】
すなわち、上記ステップ１０６からステップ１２０の処理では、図４に示されるように、撮像系タイミングジェネレータ２８により垂直同期信号が出力されて撮像系２０より１枚分の画像データの撮像が完了する毎に、画角調整用画像データ及び焦点調整用画像データをメモリ８０に記憶させる記憶領域を記憶領域Ａ→記憶領域Ｂ→記憶領域Ｃ→記憶領域Ａ…と順次切替えている。
【００６４】
メモリコントローラ４２は、デジタル信号処理回路３２より出力されて第１フィルタ処理部３８及び第２フィルタ処理部４０でフィルタリング処理の施された画角調整用画像データ及び焦点調整用画像データをメモリ８０の指定された記憶領域に記憶させる。
【００６５】
一方、ステップ１２２では、入力した垂直同期信号が再生系タイミングジェネレータ４８より入力した再生系３０の垂直同期信号であるか否かを判定し、肯定判定となった場合はステップ１２４へ移行し、否定判定となった場合はステップ１３６へ移行する。
【００６６】
ステップ１２４では、変数Ｘに設定されている記憶領域が記憶領域Ａであるか否かを判定し、肯定判定となった場合はステップ１２６へ移行し、否定判定となった場合はステップ１２８へ移行する。ステップ１２６では、メモリコントローラ４２へメモリ８０の記憶領域Ｃに記憶されている画角調整用画像データ及び焦点調整用画像データの読み出しを指示する指示信号を出力する。これにより、メモリコントローラ４２は、メモリ８０の記憶領域Ｃから画角調整用画像データ及び焦点調整用画像データを読み出してグラフィックコントローラ４４へ出力する。
【００６７】
ステップ１２８では、変数Ｘに設定されている記憶領域が記憶領域Ｂであるか否かを判定し、肯定判定となった場合はステップ１３０へ移行し、否定判定となった場合はステップ１３２へ移行する。ステップ１３０では、メモリコントローラ４２へメモリ８０の記憶領域Ａに記憶されている画角調整用画像データ及び焦点調整用画像データの読み出しを指示する指示信号を出力する。これにより、メモリコントローラ４２は、メモリ８０の記憶領域Ａから画角調整用画像データ及び焦点調整用画像データを読み出してグラフィックコントローラ４４へ出力する。
【００６８】
ステップ１３２では、変数Ｘに設定されている記憶領域が記憶領域Ｃであるか否かを判定し、肯定判定となった場合はステップ１３４へ移行し、否定判定となった場合はステップ１３６へ移行する。ステップ１３４では、メモリコントローラ４２へメモリ８０の記憶領域Ｂに記憶されている画角調整用画像データ及び焦点調整用画像データの読み出しを指示する指示信号を出力する。これにより、メモリコントローラ４２は、メモリ８０の記憶領域Ｂから画角調整用画像データ及び焦点調整用画像データを読み出してグラフィックコントローラ４４へ出力する。
【００６９】
すなわち、上記ステップ１２２からステップ１３４の処理では、図４に示されるように、再生系タイミングジェネレータ４８により垂直同期信号が出力されてタイミングで、メモリ８０の記憶領域Ａ、記憶領域Ｂ、記憶領域Ｃに各々記憶されている画角調整用画像データ及び焦点調整用画像データを読み出す指示信号を出力している。
【００７０】
グラフィックコントローラ４４は、図２に示すように、メモリコントローラ４２により読み出された画角調整用画像データにより示される画像の所定領域に焦点調整用画像データにより示される画像を合成し、合成した画像データをＤ／Ａ変換部５２及びＬＣＤＩ／Ｆ５０に出力する。
【００７１】
これにより、ＬＣＤ７０には、ＬＣＤＩ／Ｆ５０を介して供給された画像データに基づいて、画像が表示される。
【００７２】
ステップ１３６では、例えば、ユーザにより撮像装置１０の電源がオフされたり、あるいは、合成表示機能を無効とする設定がなされるなど、画像表示の終了が指示された否かを判定しており、肯定判定となった場合は本画像表示制御処理を終了し、否定判定となった場合は再度ステップ１０４へ移行して垂直同期信号の入力待ちとなる。
【００７３】
以上詳細に説明したように、第１の実施の形態によれば、撮像装置は、手動での焦点調整が可能とされており、撮像手段（ここでは、ＣＣＤイメージセンサ２４）により、受光面に結像される被写体像を撮像して所定解像度の画像データを出力しており、所定解像度よりも低い解像度とされた表示領域を有する表示手段（ここでは、ＬＣＤ７０）を備えている。
【００７４】
そして、第１の実施の形態によれば、第１変換手段（ここでは、画角画像用解像度変換部３４）により、撮像手段から出力された画像データを、当該画像データにより示される画像のサイズが表示手段の表示領域の表示サイズとなるように解像度を変換し、抽出手段（ここでは、デジタル信号処理回路３２）により、撮像手段から出力された画像データから当該画像データの部分領域となる所定領域（ここでは、焦点領域９０）の画像データを抽出し、第２変換手段（ここでは、焦点画像用解像度変換部３６）により、抽出手段により抽出された画像データを所定倍率に拡大するように変換する。
【００７５】
そして、画像処理手段（ここでは、第１フィルタ処理部３８及び第２フィルタ処理部４０）により、第２変換手段により拡大された画像データに対して第１の強度で当該画像データにより示される画像の輪郭を強調すると共に、第１変換手段により解像度が変換された画像データに対して前記第１の強度より弱い第２の強度で当該画像データにより示される画像の輪郭を強調する画像処理を行い、表示制御手段（ここでは、グラフィックコントローラ４４）により、画像処理手段による画像処理後の拡大された画像データにより示される画像と画像処理後の解像度が変換された画像データにより示される画像を合成して表示するように表示手段を制御しているので、表示手段により表示される合焦確認用の画像の視認度を向上させることができる。
【００７６】
また、第１の実施の形態によれば、前記第１変換手段及び第２変換手段は、変換後の画像データにより示される画像のアスペクト比が同一であるので、ユーザが合成画像を見た場合の合成画像の違和感を低下させることができる。
【００７７】
なお、第１の実施の形態では、焦点画像用解像度変換部３６によって焦点調整用画像データにより示される画像を拡大する変換を行う場合について説明したが、本発明はこれに限定されるものではなく、例えば、グラフィックコントローラ４４において焦点調整用画像データにより示される画像を拡大する変換を行ものとしてもよい。これらの場合、焦点画像用解像度変換部３６からグラフィックコントローラ４４までの間で転送される焦点調整用画像データのデータ量や、メモリ８０に記憶される焦点調整用画像データのデータ量が低下するため、画像用解像度変換部３６からグラフィックコントローラ４４の間のデータの転送速度を低下させることができ、また、メモリ８０の記憶容量を抑えることができる。
【００７８】
［変形例］
第１の実施の形態ではデジタル信号処理回路３２により、焦点調整用画像データを抽出して出力するものとしたが、図５、図６に示すように、アナログ信号処理回路２６から出力された画像データから焦点領域の画像データを切り抜きいて切り抜き画像データとしてメモリコントローラ４２を介してメモリ８０に記憶させ、静止画信号処理部９１によりフィルタリング処理や各種の信号処理を行って切り抜き画像データにより示される画像を３２０×２４０画素でアスペクト比が４：３の画像に拡大し、拡大した画像を高精細化する画像処理を行い、処理後の画像データを焦点調整用画像データとしてＣＰＵ４６からの指示に応じてた記憶領域に記憶させるものとしてもよい。このように、焦点調整用画像データにより示される画像を高精細化することにより、合焦状態をより精密に確認することができる。
【００７９】
なお、第１の実施の形態に係る撮像装置１０に静止画信号処理部９１を設けて焦点調整用画像データにより示される画像を高精細化してもよい。
【００８０】
［第２の実施の形態］
本第２の実施の形態では、ＣＣＤイメージセンサ２４による連続的な撮像によって得られた動画像を記録媒体に記録する場合の形態例について説明する。
【００８１】
図７には、第２の実施の形態に係る撮像装置１０の構成を示すブロック図が示されている。なお、同図の図１と同一の構成要素については図１と同一符号箇所を付して、その説明を省略する。
【００８２】
第２の実施の形態に係る撮像系２０は、メモリ８０に記憶されている画像を所定の動画圧縮方式（本実施の形態では、モーションＪＰＥＧ（Motion JPEG）方式）にて圧縮を行う動画圧縮部９２と、可搬型のメモリカード９６をＤＳＣ１０でアクセス可能とするための外部メモリＩ／Ｆ９４と、を備えている。
【００８３】
第２の実施の形態に係る画角画像用解像度変換部３４は、入力される画角調整用画像データにより示される画像のサイズをメモリカード９６に動画像を記憶させる所定サイズ（ここでは、６４０×４８０）の画角調整用画像データに変換する。
【００８４】
画角画像用解像度変換部３４によりメモリカード９６に記憶させるサイズに変換された画角調整用画像データは、第１フィルタ処理部３８により、低レベルで輪郭を強調するフィルタリング処理が行われて、メモリコントローラ４２により、ＣＰＵ４６によって指定されたメモリ８０の記憶領域に記憶され、ＣＰＵ４６からの指示に応じて読みだされてグラフィックコントローラ４４へ出力される。
【００８５】
第２の実施の形態に係るグラフィックコントローラ４４は、メモリコントローラ４２により読み出された画角調整用画像データにより示される画像と焦点調整用画像データにより示される画像との合成を行う。なお、本実施の形態では、動画像をメモリカード９６に記憶させる画像サイズとＬＣＤ７０の表示領域のサイズが共に６４０×４８０画素であるため、画像のサイズ変換を行わないが、動画像をメモリカード９６に記憶させる画像サイズとＬＣＤ７０の表示領域のサイズが異なる場合は、入力した画角調整用画像データにより示される画像のサイズを、グラフィックコントローラ４４にてＬＣＤ７０の表示領域のサイズに変換した後、焦点調整用画像データにより示される画像との合成を行う。
【００８６】
一方、動画圧縮部９２は、メモリ８０に記憶されている画角調整用画像データを所定の動画圧縮方式にて圧縮し、外部メモリＩ／Ｆ５０へ出力する。動画圧縮部９２にて圧縮された動画データは外部メモリＩ／Ｆ５０を介して可搬型のメモリカード９６に電子化ファイルとして記憶される。
【００８７】
以上詳細に説明したように、第２の実施の形態によれば、第１変換手段（ここでは、画角画像用解像度変換部３４）は、撮像手段から出力された画像データを、当該画像データにより示される画像のサイズが所定の動画記録用の画像サイズとなるように解像度を変換し、画像処理手段による画像処理後の第１変換手段により解像度が所定の動画記録用の解像度に変換された画像データを記憶する記憶手段（ここでは、メモリカード９６）と、画像処理後の第１変換手段により解像度が変換された画像データを、当該画像データにより示される画像のサイズが表示手段の表示領域の表示サイズとなるように解像度を変換する第３変換手段（ここでは、グラフィックコントローラ４４）と、をさらに備え、表示制御手段は、画像処理後の前記拡大された画像データにより示される画像と第３変換手段により解像度が変換された画像データにより示される画像を合成して表示するように表示手段を制御しているので、動画像の記録する際に画像の解像度を変更する必要が無いため、記憶処理の制御が簡易となる。また、表示手段の表示領域の解像度に変換して表示手段の表示領域に表示させているのでユーザが動画像を見ながら画角を調整することができる。
【００８８】
なお、第１の実施の形態、変形例及び第２の実施の形態で説明した撮像装置１０の構成（図１、図５、図７参照。）は、一例であり、本発明の主旨を逸脱しない範囲内において適宜変更可能であることは言うまでもない。
【００８９】
また、上記第１の実施の形態において説明した画像表示制御処理プログラムの処理の流れ（図３参照。）も一例であり、本発明の主旨を逸脱しない範囲内において適宜変更可能であることは言うまでもない。
【図面の簡単な説明】
【００９０】
【図１】第１の実施の形態に係る撮像装置の主要構成を示すブロック図である。
【図２】第１の実施の形態に係る撮像装置で撮像された画像の変化の流れを示す模式図である。
【図３】第１の実施の形態に係る画像表示制御処理プログラムの処理の流れを示すフローチャートである。
【図４】第１の実施の形態に係る撮像時における垂直同期信号発生による処理の流れを示すタイムチャートである。
【図５】変形例に係る撮像装置の主要構成を示すブロック図である。
【図６】変形例に係る撮像時における垂直同期信号発生による処理の流れを示すタイムチャートである。
【図７】第２の実施の形態に係る撮像装置の主要構成を示すブロック図である。
【符号の説明】
【００９１】
１０  撮像装置
２０  撮像系
２４  ＣＣＤイメージセンサ
３２  デジタル信号処理回路
３４  画角画像用解像度変換部
３６  焦点画像用解像度変換部
３８  第１フィルタ処理部
４０  第２フィルタ処理部
４４  グラフィックコントローラ
４６  ＣＰＵ
８０  メモリ
９０  焦点領域
９１  静止画信号処理部
９６  メモリカード
【図１】
2007067530.tif 000003
【図２】
2007067530.tif 000004
【図３】
2007067530.tif 000005
【図４】
2007067530.tif 000006
【図５】
2007067530.tif 000007
【図６】
2007067530.tif 000008
【図７】
2007067530.tif 000009